(57)【要約】【課題】空調システムに関する知識が乏しい者であっても、集中管理装置に配置された各運転スイッチによる操作対象となる空調端末機を、容易に変更することができる空調システムを提供する。【解決手段】操作対象変更モードにおいて、集中管理管理装置のアドレス00hの運転スイッチと、アドレス01hの運転スイッチと、アドレス1Ehの運転スイッチが順に操作されたときに、該アドレスを順番にアドレス保持部２０５ａに保持し、その後、00h，01h，1Ehの運転スイッチに割り当てられていた空調端末機の運転スイッチが順に操作されて、該空調端末機からＩＤコード1Eh，00h，01hをそれぞれ含む点火信号を順に受信したときに、該ＩＤコードを順番にＩＤコード保持部２０５ｂに保持して、仮登録マップ２０５を生成し、該仮登録マップ２０５に基づいて操作対象マップを変更する操作対象マップ変更手段を備える。【選択図】  図５
2008267614.tif 000002
【特許請求の範囲】
【請求項１】
複数の空調端末機と、該複数の空調端末機と相互に通信可能に構成されて該複数の空調端末機を遠隔操作する集中管理装置とを備えた空調システムであって、
前記各空調端末機は、他の空調端末機とは異なるＩＤコードを有し、
前記集中管理装置は、少なくとも前記空調端末機の台数分の個数の運転スイッチが配置された操作手段と、
前記各運転スイッチに対して、操作対象となる１台の前記空調端末機のＩＤコードが割り当てられた操作対象マップのデータを保持したデータ保持手段と、
前記運転スイッチのいずれかが操作されたときに、前記操作対象マップを参照して、該操作された運転スイッチの操作対象となる前記空気端末機のＩＤコードを取得し、該ＩＤコードを有する前記空気端末機に対して所定の制御信号を送信する通常運転モードと、前記運転スイッチの操作に応じて、前記操作対象マップにおける該操作された運転スイッチに対する前記空気端末機の割り当てを変更する操作対象変更モードとを切換えるモード切換手段と、
前記操作対象変更モードにおいて、複数の前記運転スイッチが操作された後に、該操作された各運転スイッチに対して前記操作対象マップで割り当てられたＩＤコードを有する前記空調端末機で所定操作がなされて、該所定操作がなされた各空調端末機から自身のＩＤコードを含む所定の報知信号を受信したときに、該複数の運転スイッチが操作された順番と、該報知信号を受信した順番とを一致させて、該操作された各運転スイッチに、該報知信号に含まれるＩＤコードを割り当てて、前記操作対象マップを変更する操作対象マップ変更手段とを備えたことを特徴とする空調システム。
【請求項２】
請求項１記載の空調システムにおいて、
前記各運転スイッチには、他の運転スイッチと異なるアドレスが設定され、
前記操作対象マップ変更手段は、前記操作対象変更モードにおいて、複数の前記運転スイッチが操作されたときに、該操作された運転スイッチのアドレスを該運転スイッチが操作された順番に保持するアドレス保持部と、前記報知信号を受信したときに、該報知信号に含まれるＩＤコードを該報知信号を受信した順番に保持するＩＤコード保持部とを、該アドレス及び該報知信号を保持した順番で対応付けた仮登録マップを生成し、該仮登録マップに基づいて、前記操作対象マップを変更することを特徴とする空調システム。
【請求項３】
請求項１又は請求項２記載の空調システムにおいて、
前記所定操作は前記空調端末機の運転開始操作であって、前記報知信号は空調運転を開始したことを報知する信号であり、前記操作対象マップ変更手段は、前記操作対象変更モードにおいて、前記報知信号を受信したときに、前記報知信号を送信した前記空調端末機に対して、空調運転の停止を指示する運転停止信号を送信することを特徴とする空調システム。
【請求項４】
請求項１から請求項３のうちいずれか１項記載の空調システムにおいて、
前記各運転スイッチには異なる部屋の名称が付され、
前記各空調端末機は、前記異なる部屋に１台ずつ設置されていることを特徴とする空調システム。
【請求項５】
請求項１から請求項４のうちいずれか１項記載の空調システムにおいて、
前記各運転スイッチに対して個別に配置されたランプを備え、
前記操作対象マップ変更手段は、前記操作対象変更モードにおいて、前記操作対象マップにより操作対象となる前記空調端末機が既に割り当てられた前記運転スイッチに対して配置された前記ランプを点灯状態とし、前記操作対象マップの変更により操作対象となる前記空調端末機を変更する処理が実行されている前記運転スイッチに対して配置された前記ランプを点滅状態とすることを特徴とする空調システム。
【発明の詳細な説明】
【技術分野】
【０００１】
本発明は、複数の空調端末機を集中管理装置により遠隔操作する空調システムに関する。
【背景技術】
【０００２】
従来より、図６に示したように、複数の空調端末機６０１ａ〜６３０ａと集中管理装置５００を通信ケーブル５０５により接続して相互に通信可能に構成し、集中管理装置５００に備えられた運転スイッチ５４１〜５７０の操作により、空調端末機６０１ａ〜６３０ａの遠隔操作を可能とした空調システムが知られている（例えば、特許文献１参照）。
【０００３】
図６に示した空調システムにおいては、各空調端末機６０１ａ，６０２ａ，…，６３０ａに、他の空調端末機とは異なるＩＤコードが割り当てられている。例えば、教室６０１に設置された空調端末機６０１ａにはＩＤコード（１）が割り当てられ、教室６０２に設置された空調端末機６０２ａにはＩＤコード（２）が割り当てられている。
【０００４】
そして、各運転スイッチ５４１〜５７０に対して操作対象となる空調端末機６０１ａ〜６３０ａのいずれかのＩＤコードが予め割り当てられている。例えば、運転スイッチ５４１に対しては空調端末機６０１ａのＩＤコード（１）が割り当てられ、運転スイッチ５４２に対してはＩＤコード（２）が割り当てられている。そして、運転スイッチ５４１が操作されたときに、集中管理装置５００から、該運転スイッチ５４１に割り当てられたＩＤコード（１）を有する空調端末機６０１に対して、運転開始或いは運転停止を指示する制御信号を送信するようにしていた。
【０００５】
このように、図６に示した空調システムにおいては、各運転スイッチ５４１〜５７０に対して、操作対象となる空調端末機６０１ａ〜６３０ａのＩＤコードが固定されていた。そのため、教室の配置を変更して、例えばそれまで１年１組であった教室６０１を１年２組とし、１年２組であった教室６０２を１年１組とするときには、教室６０１に設置された空調端末機６０１ａのＩＤコードと、教室６０２に設置された空調端末機６０２ａのＩＤコードを変更する作業が必要となる。
【０００６】
具体的には、作業者は、教室６０１に設置された空調端末機６０１ａの位置をずらして筐体を開け、内部に配置されたＩＤ設定スイッチ６０１ｂの操作によりＩＤコードを（１）から（２）に変更する。同様に、作業者は、教室６０２に設置された空調端末機６０２ａの位置をずらして筐体を開け、内部に配置されたＩＤ設定スイッチ６０２ｂの操作によりＩＤコードを（２）から（１）に変更する。
【０００７】
そして、このうように空調端末機６０１ａ及び空調端末機６０２ａの位置をずらして筐体を開けるときに、通信ケーブル５０５が外れたり接続が不良となることがあり、作業者がこれに気付かないと、ＩＤコードの変更後に集中管理装置５００と空調端末機６０１ａ或いは空調端末機６０２ａ間の通信が不良となる。また、作業者は各運転スイッチ５４１〜５７０に割り当てられた空調端末機のＩＤコード（１〜３０）を認識した上で、各教室に設置された空調端末機のＩＤコードを各運転スイッチに割り当てられた操作対象のＩＤコードに合わせて設定する必要があり、ＩＤコードの設定を間違えると運転スイッチにより操作される空調端末機が誤って設定されてしまう。
【０００８】
そのため、空調端末機のＩＤコードを変更する作業は、ある程度空調システムの仕様を習熟した作業者が、通信ケーブル５０５の接続不良やＩＤコードの設定ミスが生じないように慎重に行う必要がある。したがって、教員等の一般の使用者がこの作業を行うことは困難であった。
【０００９】
この場合、学校側においては、教室の配置を変更するためには、空調システムの管理業者に連絡して作業者を派遣してもらわなければならず、時間と費用がかかる。また、納入業者においては、教室の配置換えを行う度に作業者を派遣しなければならず、作業者の確保についての負担が大きかった。
【特許文献１】特開平０６−３００２９８号公報
【発明の開示】
【発明が解決しようとする課題】
【００１０】
本発明は、上記背景を鑑みてなされたものであり、空調システムに関する知識が乏しい者であっても、集中管理装置に配置された各運転スイッチによる操作対象とされる空調端末機を、容易に変更することができる空調システムを提供することを目的とする。
【課題を解決するための手段】
【００１１】
本発明は、上記目的を達成するためになされたものであり、複数の空調端末機と、該複数の空調端末機と相互に通信可能に構成されて該複数の空調端末機を遠隔操作する集中管理装置とを備えた空調システムに関する。
【００１２】
そして、前記各空調端末機は、他の空調端末機とは異なるＩＤコードを有し、前記集中管理装置は、少なくとも前記空調端末機の台数分の個数の運転スイッチが配置された操作手段と、前記各運転スイッチに対して、操作対象となる１台の前記空調端末機のＩＤコードが割り当てられた操作対象マップのデータを保持したデータ保持手段と、前記運転スイッチのいずれかが操作されたときに、前記操作対象マップを参照して、該操作された運転スイッチの操作対象となる前記空気端末機のＩＤコードを取得し、該ＩＤコードを有する前記空気端末機に対して所定の制御信号を送信する通常運転モードと、前記運転スイッチの操作に応じて、前記操作対象マップにおける該操作された運転スイッチに対する前記空気端末機の割り当てを変更する操作対象変更モードとを切換えるモード切換手段と、前記操作対象変更モードにおいて、複数の前記運転スイッチが操作された後に、該操作された各運転スイッチに対して前記操作対象マップで割り当てられたＩＤコードを有する前記空調端末機で所定操作がなされて、該所定操作がなされた各空調端末機から自身のＩＤコードを含む所定の報知信号を受信したときに、該複数の運転スイッチが操作された順番と、該報知信号を受信した順番とを一致させて、該操作された各運転スイッチに、該報知信号に含まれるＩＤコードを割り当てて、前記操作対象マップを変更する操作対象マップ変更手段とを備えたことを特徴とする。
【００１３】
かかる本発明によれば、前記集中管理装置の運転スイッチにより操作する前記空調端末機の変更を行う作業者は、先ず、前記モード切換手段により前記操作対象変更モードとする。そして、作業者は、操作対象を変更したい複数の運転スイッチを操作し、その後、それまで該複数の運転スイッチによる操作対象されていた空調端末機について、該複数の運転スイッチを操作した順番に合わせて、新たな操作対象とする空調端末機の前記所定操作を順次行う。これにより、前記操作対象マップ変更手段によって、前記操作対象マップにおける前記運転スイッチと前記空調端末機との対応が変更され、前記運転スイッチによる操作対象となる空調端末機を変更することができる。そして、この場合、作業者は、空調端末機のＩＤコードを変更する作業を行う必要がなく、また、各空調端末機に割り当てられているＩＤコードを認識する必要もない。そのため、空調システムの知識が乏しい作業者であっても、前記運転スイッチによる操作対象とする前記空調端末機を容易に変更することができる。
【００１４】
また、前記各運転スイッチには、他の運転スイッチと異なるアドレスが設定され、前記操作対象マップ変更手段は、前記操作対象変更モードにおいて、複数の前記運転スイッチが操作されたときに、該操作された運転スイッチのアドレスを該運転スイッチが操作された順番に保持するアドレス保持部と、前記報知信号を受信したときに、該報知信号に含まれるＩＤコードを該報知信号を受信した順番に保持するＩＤコード保持部とを、該アドレス及び該報知信号を保持した順番で対応付けた仮登録マップを生成し、該仮登録マップに基づいて、前記操作対象マップを変更することを特徴とする。
【００１５】
かかる本発明によれば、詳細は後述するが、前記操作対象変更モードにおいて、操作された運転スイッチのアドレスを前記アドレス保持部に保持し、受信した前記報知信号に含まれるＩＤコードを前記ＩＤコード保持部に保持して、前記仮登録マップを生成することにより、前記操作対象マップの変更を容易に行うことができる。
【００１６】
また、前記所定操作は前記空調端末機の運転開始操作であって、前記報知信号は空調運転を開始したことを報知する信号であり、前記操作対象マップ変更手段は、前記操作対象変更モードにおいて、前記報知信号を受信したときに、前記報知信号を送信した前記空調端末機に対して、空調運転の停止を指示する運転停止信号を送信することを特徴とする。
【００１７】
かかる本発明によれば、前記運転スイッチによる操作対象とする前記空調端末機を変更する作業を行う作業者は、前記空調端末機の運転開始操作をして、前記空調端末機が空調運転を開始した後、前記運転停止信号の受信により前記空調端末機が運転を停止したことを確認することにより、前記報知信号が前記集中管理装置で受信されたことを認識することができる。
【００１８】
また、前記各運転スイッチには異なる部屋の名称が付され、前記各空調端末機は、前記異なる部屋に１台ずつ設置されていることを特徴とする。
【００１９】
かかる本発明によれば、部屋の名称と部屋の配置の関係を変更するときに、各運転スイッチの名称を変更せずに、前記操作対象マップ変更手段により各運転スイッチの操作対象となる前記空調端末機を変更して、容易に対応することができる。
【００２０】
また、前記各運転スイッチに対して個別に配置されたランプを備え、前記操作対象マップ変更手段は、前記操作対象変更モードにおいて、前記操作対象マップにより操作対象となる前記空調端末機が既に割り当てられた前記運転スイッチに対して配置された前記ランプを点灯状態とし、前記操作対象マップの変更により操作対象となる前記空調端末機を変更する処理が実行されている前記運転スイッチに対して配置された前記ランプを点滅状態とすることを特徴とする。
【００２１】
かかる本発明によれば、作業者は、前記操作対象変更モードにおいて、前記ランプの点滅を確認することにより、操作対象となる前記空調端末機を変更する処理が実行されている運転スイッチを認識することができる。
【発明を実施するための最良の形態】
【００２２】
本発明の実施の形態の一例について、図１〜図５を参照して説明する。
【００２３】
図１は本発明の空調システムの全体的な構成を示した図であり、通信ケーブル１００を介して相互に通信可能に接続された、集中管理装置１と複数の空調端末機１０１ａ〜１３０ａとにより構成されている。そして、本実施の形態の空調システムは、学校の各教室１０１〜１３０に設置された空調端末機１０１ａ〜１３０ａの運転を、職員室等に設置された集中管理装置１により一括して管理するものである。
【００２４】
集中管理装置１は、前面パネル２（本発明の操作手段に相当する）に配置された３０個の運転スイッチ５１，５２，…，８０、各運転スイッチに対して個別に設けられたＬＥＤ５１ａ，５２ａ，…，８０ａ、各運転スイッチの操作対象の空調端末機が設置された教室を示す教室ラベル２１，２２，…，５０、ガス漏れＬＥＤ１０、通信異常ＬＥＤ１１、器具異常ＬＥＤ１２、ブザー停止スイッチ１３、全点火スイッチ１４、全消火スイッチ１５、及び電源スイッチ１６を備えている。また、集中管理装置１は、後面パネルに後述する通常運転モードと操作対象変更モードとを切換えるモード切換スイッチ９０を備えている。
【００２５】
なお、各運転スイッチ５１〜８０に対して教室ラベル２１〜５０が付された態様は、本発明の運転スイッチには異なる部屋の名称が付され、に相当する。
【００２６】
運転スイッチ５１〜８０には、アドレス00h〜1Ehが順に割り当てられている。そして、使用者は、各運転スイッチ５１〜８０を操作することによって、対応する空調端末機の運転と停止を指示することができる。
【００２７】
全点火スイッチ１４は、全ての空調端末機１０１ａ〜１３０ａを運転状態にすることを指示するものである。全消火スイッチ１５は、全ての空調端末機１０１ａ〜１３０ａを停止状態にすることを指示するものである。ブザー停止スイッチ１３は、異常発生時等におけるブザー（図示しない）の鳴動の停止を指示するものである。電源スイッチ１６は、集中管理装置１への電源供給／遮断の切り換えを指示するものである。
【００２８】
空調端末機１０１ａ〜１３０ａは、ガス温風暖房機であり、各教室１０１〜１３０に一台ずつ設置されている。各空調端末機１０１ａ〜１３０ａは、それぞれ、ＩＤコードを設定するＩＤスイッチ１０１ｂ〜１３０ｂと、暖房運転の開始／停止を指示する運転スイッチ１０１ｃ〜１３０ｃとを備えている。また、通信ケーブル１００の終端には終端抵抗１１０が接続されている。
【００２９】
次に、図２を参照して、集中管理装置１と空調端末機１０１ａの構成について説明する。なお、他の空調端末機１０２ａ〜１３０ａの構成も、空調端末機１０１ａと同様である。
【００３０】
集中管理装置１は、集中管理装置１の全体的な作動を制御するマイコン（マイクロコンピュータ）２００と、通信回路２１０とを備えている。マイコン２００には、運転スイッチ５１〜８０、モード切換スイッチ９０、及びＬＥＤ５１ａ〜８０ａが接続されている。そして、マイコン２００は、モード切換スイッチ９０により、通常運転モードとされているときに、運転スイッチ５１〜８０の操作に応じて、空調端末機１０１ａ〜１３０ａに空調運転の開始を指示する運転開始信号や空調運転の停止を指示する運転停止信号を送信して、空調端末機１０１ａ〜１３０ａを遠隔操作する制御手段２０３を備えている。
【００３１】
また、マイコン２００は、図３（ａ）に示した操作対象マップ２０２のデータをメモリ（図示しない。本発明のデータ保持手段に相当する）に保持している。操作対象マップ２０２は、各運転スイッチ５１〜８０のアドレス（00h〜1Eh）に対して、操作対象とするいずれかの空調端末機１０１ａ〜１３０ａのＩＤコード（00h〜1Eh）を割り当てたものである。
【００３２】
操作対象マップ２０２は、初期状態では、図３（ａ）に示したように、各運転スイッチ５１〜８０に対して、操作対象とする空調端末機１０１ａ〜１３０ａのＩＤコード00h〜1Ehが割り当てられている。そして、マイコン２００は、操作対象マップ２０２における運転スイッチのアドレスと空調端末機のＩＤコードとの対応関係変更する操作対象マップ変更手段２０１を備えている。また、制御手段２０３は、運転スイッチ５１〜８０のうちのいずれかが操作されたときに、操作対象マップ２０２を参照して、操作対象とする空調端末機を認識する。
【００３３】
次に、図４に示したフローチャートに従って、操作対象マップ変更手段２０１による操作対象マップ２０２の変更方法について説明する。以下では、(1)１年１組の教室ラベル２１が付された運転スイッチ５１の操作対象を、教室１０１の空調端末機１０１ａから教室１３０の空調端末機１３０ａに変更し、(2)１年２組の教室ラベル２２が付された運転スイッチ５２の操作対象を、教室１０２の空調端末機１０２ａから教室１０１の空調端末機１０１ａに変更し、(3)６年３組の教室ラベル５０が付された運転スイッチ８０の操作対象を、教室１３０の空調端末機１３０ａから教室１０２の空調端末機１０２ａに変更する場合について説明する。
【００３４】
この場合、作業者は、(1)モード切換スイッチ９０をＯＮ状態として、通常運転モードから操作対象変更モードに切換える。(2)運転スイッチ５１と、運転スイッチ５２と、運転スイッチ８０を順番に操作する。(3)教室１３０に行って、１番目に操作した運転スイッチ５１の操作対象とする空調端末機１３０ａの運転スイッチ１３０ｃを操作し、次に教室１０１に行って、２番目に操作した運転スイッチ５２の操作対象とする空調端末機１０１ａの操作スイッチ１０１ｃを操作し、次に教室１０２に行って、３番目に操作した運転スイッチ８０の操作対象とする空調端末機１０２ａの運転スイッチ１０２ｃを操作する。(4)モード切換スイッチ９０をＯＦＦ状態として、操作対象変更モードから通常運転モードに切換える。という作業を行って、操作対象マップ２０２の内容を変更する。
【００３５】
操作対象マップ変更手段２０１は、モード切換スイッチ９０がＯＦＦ状態からＯＮ状態に切換えられて、通常運転モードから操作対象モード変更モードに切り換わったときに、図４に示したフローチャートの処理を実行する。
【００３６】
操作対象マップ変更手段２０１は、先ず、ＳＴＥＰ１，ＳＴＥＰ１０，ＳＴＥＰ２０からなるループを実行して、ＳＴＥＰ１で運転スイッチ５１〜８０のうちのいずれかがＯＮした（操作された）か否かを判断し、ＳＴＥＰ１０で空調端末機１０１ａ〜１３０ａのうちのいずれかから、点火操作がなされたことを示す点火信号（本発明の報知信号に相当する）を受信したか否かを判断し、ＳＴＥＰ２０でモード切換スイッチ９０がＯＦＦしたか否かを判断する。
【００３７】
そして、ＳＴＥＰ１で運転スイッチ５１〜８０のうちのいずれかがＯＮしたときはＳＴＥＰ２に進み、操作対象マップ変更手段２０１は、ＯＮした運転スイッチののアドレスを順番に仮登録する。ここで、図５（ｂ）の２０５はこの仮登録のためのマップ（以下、仮登録マップという）を示したデータであり、左側のアドレス保持部２０５ａに、ＯＮした運転スイッチのアドレスがＯＮした順番に保持される。
【００３８】
作業者が、運転スイッチを操作する毎に、ＳＴＥＰ１からＳＴＥＰ２に進んで、操作された運転スイッチのアドレスが、仮登録マップ２０５のアドレス保持部２０５ａに保持される。図５（ｂ）の仮登録マップ２０５では、上述した最初に１年１組の教室ラベル２１が付された運転スイッチ５１が操作され、次に１年２組の教室ラベル２２が付された運転スイッチ５２が操作され、次に６年３組の教室ラベル５０が付された運転スイッチ８０が操作された場合を示している。この場合は、１番目に運転スイッチ５１のアドレス00hが保持され、２番目に運転スイッチ５２のアドレス01hが保持され、３番目に運転スイッチ８０のアドレス1Ehが保持されている。
【００３９】
そして、図３（ａ）に示した操作対象マップ２０２で登録されている運転スイッチ５１のアドレス00h、運転スイッチ５２のアドレス01h、及び運転スイッチ８０のアドレス1Ehに対応した、空調端末機00h，01h，1Ehが、変更対象となる。
【００４０】
次に、ＳＴＥＰ１０で、空調端末機１０１ａ〜１３０ａのいずれかから、点火処理がなされたことを示す点火信号（本発明の報知信号に相当する）を受信したときはＳＴＥＰ１１に進む。そして、操作対象マップ変更手段２０１は、ＳＴＥＰ１１で、点火信号に含まれる空調端末機のＩＤコードが、変更対象である00h，01h，1Ehであったときは、図５（ｂ）に示したように、該ＩＤコードを仮登録マップ２０５のＩＤコード保持部２０５ｂに保持する。
【００４１】
また、続くＳＴＥＰ１３で、操作対象マップ変更手段２０１は、点火信号を送信した空調端末機に対して、消火指示信号を送信する。これにより、変更作業者が運転スイッチを操作して点火処理を実行した空調端末機が、該消火指示信号を受信してバーナを消火し、温調運転を停止する。この場合、変更作業者は、運転スイッチを操作して点火処理を行った空調端末機が、運転を停止したことを確認することにより、仮登録が受け付けられたことを認識することができる。
【００４２】
一方、ＳＴＥＰ１１で、受信した点火信号に含まれるＩＤコードが、変更対象である00h，01h，1Eh以外であったとき、すなわち、操作対象マップ２０２で既に登録されている他のＩＤコードと重複しているときは、ＳＴＥＰ１４に分岐し、仮登録マップ２０５のＩＤコード保持部２０５ｂへの保持は行わない。
【００４３】
次のＳＴＥＰ１４〜ＳＴＥＰ１７の処理は、上述したＳＴＥＰ１０〜ＳＴＥＰ１３と同様であり、操作対象マップ変更手段２０１は、ＳＴＥＰ１４で受信した点火信号に含まれるＩＤコードが、登録済みの他のＩＤコードと重複していなければ、ＳＴＥＰ１６で仮登録マップ２０５のＩＤコード部２１０ｂに順番に保持する。
【００４４】
図５（ｂ）の仮登録マップ２０５では、上述した、最初に教室１３０に行って、１番目に操作した運転スイッチ５１の操作対象とする空調端末機１３０ａの運転スイッチ１３０ｃを操作し、次に教室１０１に行って、２番目に操作した運転スイッチ５２の操作対象とする空調端末機１０１ａの操作スイッチ１０１ｃを操作し、次に教室１０２に行って、３番目に操作した運転スイッチ８０の操作対象とする空調端末機１０２ａの運転スイッチ１０２ｃを操作した場合を示している。この場合は、１番目に教室１３０に設置された空調端末機１３０ａのＩＤコード1Ehが保持され、２番目に教室１０１に設置された空調端末機１０１ａのＩＤコード00hが保持され、３番目に教室１０２に設置された空調端末機１０２ａのＩＤコード01hが保持される。
【００４５】
そして、ＳＴＥＰ３０でモード切換スイッチ９０がＯＦＦしたときにＳＴＥＰ３１に進み、操作対象マップ変更手段２０は、仮登録マップ２０５のアドレス保持部２０５ａに保持した運転スイッチのアドレスの個数と、仮登録マップ２０５のＩＤコード保持部２０５ｂに保持したＩＤコードの個数とが一致しているか否かを判断する。
【００４６】
ここで、仮登録マップ２０５のアドレス保持部２０５ａに保持した運転スイッチのアドレスの個数と、仮登録マップ２０５のＩＤコード保持部２０５ｂに保持したＩＤコードの個数とが一致しているときは、仮登録の処理が正しく完了したことを意味する。そのため、ＳＴＥＰ３２に進み、操作対象マップ変更手段２０１は、仮登録マップ２０５の内容に基づいて、操作対象マップ２０２の内容を変更する。
【００４７】
これにより、操作対象マップ２０２の内容が、図３（ａ）から図３（ｂ）へと変更される。一方、ＳＴＥＰ３１で、仮登録マップ２０５のアドレス保持部２０５ａに保持した運転スイッチのアドレスの個数と、仮登録マップ２０５のＩＤコード保持部２０５ｂに保持したＩＤコードの個数とが一致していないときには、仮登録の作業が正しく完了していないことを意味する。そのため、この場合はＳＴＥＰ３３に分岐し、操作対象マップ２０２の内容は変更されない。
【００４８】
なお、ＳＴＥＰ２０でモード切換スイッチ９０が操作されたときは、仮登録マップ２０５のＩＤコード保持部２０５ｂにＩＤコードが未だ保持されておらす、仮登録の作業が正しく完了していない。そのため、この場合もＳＴＥＰ３３に分岐して処理を終了し、操作対象マップ変更手段２０１は、操作対象マップ２０２の内容を変更しない。
【００４９】
図５（ａ）は、これまで説明した仮登録の処理のタイミングチャートを示したものである。先ず、変更作業者は、操作対象の変更を希望する運転スイッチ５１（アドレス00h）をｔ10で操作し、運転スイッチ５２（アドレス01h）をｔ11で操作し、運転スイッチ８０（アドレス1Eh）を操作する。これにより、図５（ｂ）に示した仮登録マップ２０５のアドレス保持部２１０ａに、00h，01h，1Ehが順番に保持される。
【００５０】
次に、変更作業者は、１番目に操作した運転スイッチ５１の操作対象としたい教室１３０の空調端末機１３０ａの運転スイッチ１３０ｃを操作する。これにより、空調端末機１３０ａがバーナの点火処理を行って、自身のＩＤコード1Ehを含む点火信号を集中管理装置１に送信する。そして、ｔ13で該点火信号を受信した集中管理装置１は、該ＩＤコードを図５（ｂ）に示した仮登録マップ２０５のＩＤコード保持部２０５ｂに保持し、該点火信号を送信した空調端末機１３０ａに消火指示信号を送信する。
【００５１】
これにより、空調端末機１３０ａが空調運転を停止し、この停止を確認した変更作業者は、２番目に操作した運転スイッチ５２の操作対象としたい教室１０１の空調端末機１０１ａの運転スイッチ１０１ｃを操作する。これにより、空調端末機１０１ａがバーナの点火処理を行って、自身のＩＤコード00hを含む点火信号を集中管理装置１に送信する。そして、ｔ14で該点火信号を受信した集中管理装置１は、該ＩＤコードを図５（ｂ）に示した仮登録マップ２０５のＩＤコード保持部２０５ｂに保持し、該点火信号を送信した空調端末機１０１ａに消火指示信号を送信する。
【００５２】
これにより、空調端末機１０１ａが空調運転を停止し、この停止を確認した変更作業者は、３番目に操作した運転スイッチ８０の操作対象としたい教室１０２の空調端末機１０２ａの運転スイッチ１０２ｃを操作する。これにより、空調端末機１０２ａがバーナの点火処理を行って、自身のＩＤコード01hを含む点火信号を集中管理装置１に送信する。そして、ｔ15で該点火信号を受信した集中管理装置１は、該ＩＤコード01hを図５（ｂ）に示した仮登録マップ２０５のＩＤコード保持部２０５ｂに保持し、該点火信号を送信した空調端末機１０２ａに消火指示信号を送信する。
【００５３】
以上の処理により、図５（ｂ）に示した仮登録マップ２０５が生成される。そして、仮登録マップ２０５に基づいて、図３（ａ）に示した操作対象マップ２０２の内容が、図３（ｂ）に示したように変更される。そして、以後の通常運転モードにおいて、制御手段２０３は、変更された操作対象マップ２０２を参照して、各運転スイッチ５１〜８０の操作対象となる空調端末機を認識する。
【００５４】
なお、本実施の形態では、本発明の空調端末機としてガス温風暖房機を示したが、電気温風暖房機等、他の種類の温調端末機に対しても本発明の適用が可能である。
【００５５】
また、本実施の形態では、図４のＳＴＥＰ１３及びＳＴＥＰ１７で、点火信号を受信したときに、該点火信号を送信した空調端末機に消火指示信号を送信したが、該消火指示信号を送信しない場合であっても、本発明の効果を得ることができる。
【００５６】
また、操作対象モードにおいて、操作対象マップにより操作対象となる空調端末機が既に割り当てられた運転スイッチのＬＥＤを点灯状態とし、操作対象マップ変更手段により、操作対象を変更する処理が行われている運転スイッチのＬＥＤを点滅状態としてもよい。
【００５７】
また、本実施の形態では、各運転スイッチ５１〜８０に対して、教室ラベル２１〜５０により操作対象の空調端末機が設置された部屋の名称を付したが、このような名称を付さない場合であっても、本発明の効果を得ることができる。
【００５８】
また、本実施の形態では、集中管理装置１と各空調端末機１０１ａ〜１３０ａを通信ケーブル１００で接続した空調システムを示したが、集中管理装置と各空調端末機間の通信を無線で行う空調システムに対しても本発明の適用が可能である。
【図面の簡単な説明】
【００５９】
【図１】本発明の空調システムの全体構成図。
【図２】集中管理装置及び空調端末機の構成図。
【図３】操作対象マップの説明図。
【図４】操作対象マップの変更処理のフローチャート。
【図５】仮登録マップの作成過程のタイミングチャート及び仮登録マップの説明図。
【図６】従来の空調システムの全体構成図。
【符号の説明】
【００６０】
１…集中管理装置、２…前面パネル、２１〜５０…教室ラベル、５１〜８０…運転スイッチ、５１ａ〜８０ａ…ＬＥＤ、９０…モード切換スイッチ、１００…通信ケーブル、１０１〜１３０…教室、１０１ａ〜１３０ａ…空調端末機、１０１ｂ〜１３０ｂ…ＩＤコード設定スイッチ、１０１ｃ〜１３０ｃ…（空調端末機の）運転スイッチ、２０１…操作対象マップ変更手段、２０２…操作対象マップ、２０３…制御手段、２０５…仮登録マップ
【図１】
2008267614.tif 000003
【図２】
2008267614.tif 000004
【図３】
2008267614.tif 000005
【図４】
2008267614.tif 000006
【図５】
2008267614.tif 000007
【図６】
2008267614.tif 000008